(57)【要約】【課題】１つの制御機器に異なる測温抵抗体を組み合わせ可能にする。【解決手段】記憶部１０７は、自機器に接続可能な測温抵抗体１０２の定格の電流が流れている場合の出力電圧値の許容範囲と、組み合わされるプルアップ抵抗の設定値とを記憶している。抵抗設定部１０８は、電圧測定部１０５が測定した出力電圧が、記憶部１０７に記憶されているいずれかの許容範囲となるように、記憶部１０７に記憶されているいずれかの設定値にプルアップ抵抗部１０４の抵抗値を設定する。【選択図】  図１
2020046189.tif 000002
【特許請求の範囲】
【請求項１】
温度計測部で温度を計測した結果より制御対象を制御する制御機器であって、
前記温度計測部は、
測温抵抗体と、
前記測温抵抗体に電流を供給するように構成された定電圧源と、
前記測温抵抗体と前記定電圧源との間に設けられたプルアップ抵抗部と、
電流が供給されている前記測温抵抗体の出力電圧を測定するように構成された電圧測定部と、
前記電圧測定部が測定した出力電圧より温度を求めるように構成された温度算出部と、
自機器に接続可能な前記測温抵抗体の定格の電流が流れている場合の出力電圧値の許容範囲と、組み合わされるプルアップ抵抗の設定値とを記憶する記憶部と、
前記電圧測定部が測定した出力電圧が、前記記憶部に記憶されているいずれかの許容範囲となるように、前記記憶部に記憶されているいずれかの設定値に前記プルアップ抵抗部の抵抗値を設定するように構成された抵抗設定部と
を備えることを特徴とする制御機器。
【請求項２】
請求項１記載の制御機器において、
前記プルアップ抵抗部は、抵抗値が各々異なる複数の抵抗素子を備え、
前記抵抗設定部は、前記複数の抵抗素子の接続を切り替えることで前記プルアップ抵抗部の抵抗値を設定する
ことを特徴とする制御機器。
【請求項３】
請求項１〜２のいずれか１項に記載の制御機器において、
前記記憶部は、
温度０℃における抵抗値が１００Ωの前記測温抵抗体の定格の電流が流れている場合の出力電圧値の第１許容範囲と、対応するプルアップ抵抗の第１設定値、
および
温度０℃における抵抗値が１０００Ωの前記測温抵抗体の定格の電流が流れている場合の出力電圧値の第２許容範囲と、対応するプルアップ抵抗の第２設定値
を記憶する
ことを特徴とする制御機器。
【請求項４】
請求項３記載の制御機器において、
前記抵抗設定部は、
前記電圧測定部が測定した出力電圧が、前記第１許容範囲ではない場合は、前記プルアップ抵抗部の抵抗値を前記第２設定値に設定し、
前記電圧測定部が測定した出力電圧が、前記第２許容範囲ではない場合は、前記プルアップ抵抗部の抵抗値を前記第１設定値に設定する
ことを特徴とする制御機器。
【請求項５】
請求項１〜４のいずれか１項に記載の制御機器において、
前記測温抵抗体は、白金測温抵抗体であることを特徴とする制御機器。
【発明の詳細な説明】
【技術分野】
【０００１】
本発明は、白金などによる測温抵抗体を用いた温度測定部を備える制御機器に関する。
【背景技術】
【０００２】
測温抵抗体を用いて温度検出する温度調節計などの制御機器がある。測温抵抗体による温度測定では、金属の電気抵抗が温度変化に対して変化する性質を利用している。測温抵抗体を用いた温度測定は、いわゆる常温の範囲の温度を高い精度で測定できるという特長がある。この中で、白金測温抵抗体は、温度特性が良好で経時変化が少ない。白金測温抵抗体には、ＪＩＳ−Ｃ１６０４の規格にあるように、Ｐｔ１００，Ｐｔ１０００など、出力抵抗値が異なる白金測温抵抗体が数種類存在している。
【先行技術文献】
【特許文献】
【０００３】
【特許文献１】特開２０１０−２３６９０２号公報
【発明の概要】
【発明が解決しようとする課題】
【０００４】
ところで、接続される白金測温抵抗体に合わせて、入力回路の定数を変更する必要がある。例えば、図３Ａに示すように、制御機器３０１に接続される白金測温抵抗体３０２が、Ｐｔ１０００の場合、定電圧源３０３の電圧が３．３Ｖの回路で使用する場合、２．３ｋΩのプルアップ抵抗３０４が使用される。これに対し、図３Ｂに示すように、制御機器３０１ａに接続される白金測温抵抗体３０２ａがＰｔ１００の場合に、定電圧源３０３の電圧が３．３Ｖの回路で使用する場合、２３０Ωのプルアップ抵抗３０４ａが使用される。
【０００５】
このため、Ｐｔ１０００に対応した制御機器と、Ｐｔ１００に対応した制御機器とを用意することになり、各々が別の製品として扱われるものとなる。このように、異なる測温抵抗体に、各々対応する制御機器を組み合わせる構成では、制御機器の種類が増加し、施設管理においては、管理する機器の数が増加して、管理が煩雑になるという問題がある。
【０００６】
本発明は、以上のような問題点を解消するためになされたものであり、１つの制御機器に異なる測温抵抗体を組み合わせ可能にすることを目的とする。
【課題を解決するための手段】
【０００７】
本発明に係る制御機器は、温度計測部で温度を計測した結果より制御対象を制御する制御機器であって、温度計測部は、測温抵抗体と、測温抵抗体に電流を供給するように構成された定電圧源と、測温抵抗体と定電圧源との間に設けられたプルアップ抵抗部と、電流が供給されている測温抵抗体の出力電圧を測定するように構成された電圧測定部と、電圧測定部が測定した出力電圧より温度を求めるように構成された温度算出部と、自機器に接続可能な測温抵抗体の定格の電流が流れている場合の出力電圧値の許容範囲と、組み合わされるプルアップ抵抗の設定値とを記憶する記憶部と、電圧測定部が測定した出力電圧が、記憶部に記憶されているいずれかの許容範囲となるように、記憶部に記憶されているいずれかの設定値にプルアップ抵抗部の抵抗値を設定するように構成された抵抗設定部とを備える。
【０００８】
上記制御機器において、プルアップ抵抗部は、抵抗値が各々異なる複数の抵抗素子を備え、抵抗設定部は、複数の抵抗素子の接続を切り替えることでプルアップ抵抗部の抵抗値を設定する。
【０００９】
上記制御機器において、記憶部は、温度０℃における抵抗値が１００Ωの測温抵抗体の定格の電流が流れている場合の出力電圧値の第１許容範囲と、対応するプルアップ抵抗の第１設定値、および温度０℃における抵抗値が１０００Ωの測温抵抗体の定格の電流が流れている場合の出力電圧値の第２許容範囲と、対応するプルアップ抵抗の第２設定値を記憶する。
【００１０】
上記制御機器において、抵抗設定部は、電圧測定部が測定した出力電圧が、第１許容範囲ではない場合は、プルアップ抵抗部の抵抗値を第２設定値に設定し、電圧測定部が測定した出力電圧が、第２許容範囲ではない場合は、プルアップ抵抗部の抵抗値を第１設定値に設定する。
【００１１】
上記制御機器において、測温抵抗体は、白金測温抵抗体である。
【発明の効果】
【００１２】
以上説明したように、本発明によれば、測温抵抗体の出力電圧の測定結果よりプルアップ抵抗を設定するようにしたので、１つの制御機器に異なる測温抵抗体を組み合わせることができるという優れた効果が得られる。
【図面の簡単な説明】
【００１３】
【図１】図１は、本発明の実施の形態における制御機器１００の構成を示す構成図である。
【図２】図２は、本発明の実施の形態における制御機器１００の一部構成を示す構成図である。
【図３Ａ】図３Ａは、測温抵抗体を用いた制御機器３０１の一部構成を示す構成図である。
【図３Ｂ】図３Ｂは、測温抵抗体を用いた制御機器３０１ａの一部構成を示す構成図である。
【発明を実施するための形態】
【００１４】
以下、本発明の実施の形態おける制御機器１００について図１を参照して説明する。制御機器１００は、温度計測部１０１を備え、温度計測部１０１が温度を計測した結果より、制御対象（不図示）を制御する。制御対象は、例えば空調機器であり、制御機器１００は、空調機用コントローラである。
【００１５】
温度計測部１０１は、測温抵抗体１０２、定電圧源１０３、プルアップ抵抗部１０４、電圧測定部１０５、温度算出部１０６、記憶部１０７、抵抗設定部１０８を備える。
【００１６】
測温抵抗体１０２は、例えば白金測温抵抗体である。制御機器１００は、例えば、端子１１０ａ，１１０ｂを備え、測温抵抗体１０２は、端子１１０ａ，１１０ｂに接続されている。定電圧源１０３は、測温抵抗体１０２に、一定とされた所定の電圧（例えば３．３Ｖ）で所定の電流を供給する。プルアップ抵抗部１０４は、測温抵抗体１０２と定電圧源１０３との間に設けられている。プルアップ抵抗部１０４は、例えば、図２に示すように、第１抵抗素子１４１と、第２抵抗素子１４２と、これらの接続を切り替える切替部１４３とから構成されている。
【００１７】
電圧測定部１０５は、定電圧源１０３により電流が供給されている測温抵抗体１０２の出力電圧を測定する。温度算出部１０６は、電圧測定部１０５が測定した出力電圧より温度を求める。
【００１８】
記憶部１０７は、自機器に接続可能な測温抵抗体１０２の定格の電流が流れている場合の出力電圧値の許容範囲と、組み合わされるプルアップ抵抗の設定値とを、プルアップ抵抗部１０４に設定される抵抗値毎に記憶している。ここで、自機器に接続可能な測温抵抗体１０２は、例えば、温度０℃における抵抗値が１００Ωの白金測温抵抗体、または、温度０℃における抵抗値が１０００Ωの白金測温抵抗体である。
【００１９】
記憶部１０７は、まず、温度０℃における抵抗値が１００Ωの測温抵抗体１０２（Ｐｔ１００）の定格の電流が流れている場合の出力電圧値の第１許容範囲と、対応するプルアップ抵抗の第１設定値を、用いられるプルアップ抵抗部１０４の抵抗値毎に記憶している。また、記憶部１０７は、温度０℃における抵抗値が１０００Ωの測温抵抗体１０２（Ｐｔ１０００）の定格の電流が流れている場合の出力電圧値の第２許容範囲と、対応するプルアップ抵抗の第２設定値を、用いられるプルアップ抵抗部１０４の抵抗値毎に記憶している。
【００２０】
定電圧源１０３の出力電圧が、例えば３．３Ｖで、プルアップ抵抗部１０４の抵抗値が、例えば２．３ｋΩの場合、上記第１許容範囲は、０．１３Ｖ〜０．１８Ｖである。なお、これは、測温抵抗体１０２がＰｔ１００の場合の、温度−２０℃〜８０℃に対応する出力電圧の範囲に相当している。
【００２１】
また、定電圧源１０３の出力電圧が、例えば３．３Ｖで、プルアップ抵抗部１０４の抵抗値が、例えば２３０Ωの場合、上記第１許容範囲は、０．９４Ｖ〜１．２０Ｖである。なお、これは、測温抵抗体１０２がＰｔ１００の場合の、温度−２０℃〜８０℃に対応する出力電圧の範囲に相当している。
【００２２】
また、定電圧源１０３の出力電圧が、例えば３．３Ｖで、プルアップ抵抗部１０４の抵抗値が、例えば２．３ｋΩの場合、上記第２許容範囲は、０．９４Ｖ〜１．２０Ｖである。なお、これは、測温抵抗体１０２がＰｔ１０００の場合の、温度−２０℃〜８０℃に対応する出力電圧の範囲に相当している。
【００２３】
また、定電圧源１０３の出力電圧が、例えば３．３Ｖで、プルアップ抵抗部１０４の抵抗値が、例えば２３０Ωの場合、上記第２許容範囲は、２．６４Ｖ〜２．８１Ｖである。なお、これは、測温抵抗体１０２がＰｔ１０００の場合の、温度−２０℃〜８０℃に対応する出力電圧の範囲に相当している。
【００２４】
なお、白金測温抵抗体Ｐｔ１００、Ｐｔ２００、Ｐｔ５００、Ｐｔ１０００の各々における、測定温度の範囲（仕様）−２０℃〜８０℃における抵抗値（Ω）は、以下の表１に示すものとなる。
【００２５】
【表１】
2020046189.tif 000003
【００２６】
抵抗設定部１０８は、電圧測定部１０５が測定した出力電圧が、記憶部１０７に記憶されているいずれかの許容範囲となるように、記憶部１０７に記憶されているいずれかの設定値にプルアップ抵抗部１０４の抵抗値を設定する。前述したように、測温抵抗体１０２の使用温度範囲を限定することで、抵抗値が被ることが無く、自動で判別が可能となり、抵抗設定部１０８による抵抗値の設定が可能となる。抵抗設定部１０８は、例えば、切替部１４３を制御して、第１抵抗素子１４１、第２抵抗素子１４２の接続を切り替えることでプルアップ抵抗部１０４の抵抗値を設定する。
【００２７】
抵抗設定部１０８は、例えば、電圧測定部１０５が測定した出力電圧が、第１許容範囲ではない場合は、プルアップ抵抗部１０４の抵抗値を第２設定値に設定する。例えば、定電圧源１０３の出力電圧が３．３Ｖの場合、抵抗設定部１０８は、プルアップ抵抗部１０４の抵抗値を、第２設定値として２．３ｋΩとなるように設定する。
【００２８】
また、抵抗設定部１０８は、電圧測定部１０５が測定した出力電圧が、第２許容範囲ではない場合は、プルアップ抵抗部１０４の抵抗値を第１設定値に設定する。例えば、定電圧源１０３の出力電圧が３．３Ｖの場合、抵抗設定部１０８は、プルアップ抵抗部１０４の抵抗値を、第１設定値として２３０Ωとなるように設定する。
【００２９】
以上に説明したように、本発明によれば、測温抵抗体の出力電圧の測定結果よりプルアップ抵抗を設定するようにしたので、１つの制御機器に異なる測温抵抗体を組み合わせて用いることができるようになる。
【００３０】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３１】
１００…制御機器、１０１…温度計測部、１０２…測温抵抗体、１０３…定電圧源、１０４…プルアップ抵抗部、１０５…電圧測定部、１０６…温度算出部、１０７…記憶部、１０８…抵抗設定部、１１０ａ，１１０ｂ…端子、１４１…第１抵抗素子、１４２…第２抵抗素子、１４３…切替部。
【図１】
2020046189.tif 000004
【図２】
2020046189.tif 000005
【図３Ａ】
2020046189.tif 000006
【図３Ｂ】
2020046189.tif 000007